【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
非家畜愛玩動物被験体の健康状態および動物福祉を管理する方法であって、該方法は、以下の工程：
ａ）  以下のｉまたはｉｉのうちの少なくとも１つに関する表現型データベースを得る工程：
ｉ．  該動物被験体の種、
ｉｉ．  該種の選択された群；
ｂ）  該被験体に関するデータを得る工程であって、該データは、該被験体に関する実験的試験データを含む、工程；
ｃ）  ａ）のデータベースと、ｂ）のデータとを、コンピューターにより相関させて、ａ）のデータベースと、ｂ）のデータとの間の関係性を決定する工程；および
ｄ）  ｃ）に基づいて、該被験体の管理のためのレジメンを決定する工程、
を包含する、方法。
【請求項２】
非家畜愛玩動物被験体の栄養摂取を管理するための方法であって、該方法は、以下の工程：
ａ）  以下のｉまたはｉｉのうちの少なくとも１つに関する表現型データベースを得る工程：
ｉ．該動物被験体の種、
ｉｉ．該種の選択された群；
ｂ）  該被験体に関するデータを得る工程であって、該データは、該被験体に関する実験的試験データを含む、工程；
ｃ）  ａ）のデータベースと、ｂ）のデータとを、コンピューターにより相関させて、ａ）のデータベースと、ｂ）のデータとの間の関係性を決定する工程；および
ｄ）  ｃ）に基づいて、該被験体の管理のための栄養学的レジメンを決定する工程、
を包含する、方法。
【請求項３】
前記栄養学的レジメンが、栄養素もしくはカロリーの組成、または、食物アレルギーおよび食物不耐性に少なくとも関連する、請求項２に記載の方法。
【請求項４】
非家畜愛玩動物被験体の健康を管理するための方法であって、該方法は、以下の工程：
ａ）  以下のｉまたはｉｉのうちの少なくとも１つに関する表現型データベースを得る工程：
ｉ．該動物被験体の種、
ｉｉ．該種の選択された群；
ｂ）  該被験体に関するデータを得る工程であって、該データは、該被験体に関する実験的試験データを含む、工程；
ｃ）  ａ）のデータベースと、ｂ）のデータとを、コンピューターにより相関させて、ａ）のデータベースと、ｂ）のデータとの間の関係性を決定する工程；および
ｄ）  ｃ）に基づいて、該被験体の管理のための治療的介入または治療的管理を決定する工程、
を包含する、方法。
【請求項５】
前記ａ）ｉおよびａ）ｉｉのデータベースが得られる、請求項１、２または４に記載の方法。
【請求項６】
前記種および前記被験体がイヌであり、前記管理が、該イヌのクオリティオブライフおよび寿命を改善するためのものである、請求項１、２または４に記載の方法。
【請求項７】
前記種および前記被験体がネコであり、前記管理が、該ネコのクオリティオブライフおよび寿命を改善するためのものである、請求項１、２または４に記載の方法。
【請求項８】
前記種の選択された群のデータベースが、品種、年齢、性別、大きさ、体重、能力、または地理的位置のうちの少なくとも１つである、請求項１、２または４に記載の方法。
【請求項９】
前記治療的介入または治療的管理が、薬物、栄養補助食品、栄養補助剤、全体論的処置、運動または液体摂取のうちの少なくとも１つである、請求項４に記載の方法。
【請求項１０】
前記診断的実験的試験データは、選択された被験体についての包括的な全身健康プロフィールおよび少なくとも１つの選択された診断プロフィールである、請求項１、２または４に記載の方法。
【請求項１１】
前記コンピューターが、専門システム、相互関係プログラム、またはデータベースとデータとの関係を決定するためのネットワークのうちの少なくとも１つを使用する、請求項１、２または４に記載の方法。
【請求項１２】
前記種または群の表現型データベースが、定期的に更新され、それによって、累積データを得る、請求項１、２または４に記載の方法。
【請求項１３】
前記被験体のデータを、定期的に更新して、それによって、前記種または群の定期的なデータを得る、請求項１、２または４に記載の方法。
【請求項１４】
インターネットを含むコミュニケーションネットワーク上での決定を報告する工程を包含する、請求項１、２または４に記載の方法。
【請求項１５】
インターネットを含むコミュニケーションネットワーク上での決定を報告する工程、および該インターネットを通じた該報告に対する支払いを得る工程を包含する、請求項１、２、または４に記載の方法。
【請求項１６】
非家畜愛玩動物被験体の健康状態および動物福祉を管理する方法であって、該方法は、以下の工程：
ａ）  以下のｉまたはｉｉのうちの少なくとも１つに関する遺伝型データベースを得る工程：
ｉ．  該動物被験体の種、
ｉｉ．  該種の選択された群；
ｂ）  該被験体に関するデータを得る工程であって、該データは、該被験体に関する実験的試験データを含む、工程；
ｃ）  ａ）のデータベースと、ｂ）のデータとを、コンピューターにより相関させて、ａ）のデータベースと、ｂ）のデータとの間の関係性を決定する工程；および
ｄ）  ｃ）に基づいて、該被験体の管理のためのレジメンを決定する工程、
を包含する、方法。
【請求項１７】
非家畜愛玩動物被験体の栄養摂取を管理するための方法であって、該方法は、以下の工程：
ａ）  以下のｉまたはｉｉのうちの少なくとも１つに関する遺伝型データベースを得る工程：
ｉ．該動物被験体の種、
ｉｉ．該種の選択された群；
ｂ）  該被験体に関するデータを得る工程であって、該データは、該被験体に関する実験的試験データを含む、工程；
ｃ）  ａ）のデータベースと、ｂ）のデータとを、コンピューターにより相関させて、ａ）のデータベースと、ｂ）のデータとの間の関係性を決定する工程；および
ｄ）  ｃ）に基づいて、該被験体の管理のための栄養学的レジメンを決定する工程、
を包含する、方法。
【請求項１８】
前記栄養学的レジメンが、栄養素もしくはカロリーの組成、または、食物アレルギーおよび食物不耐性に少なくとも関連する、請求項１７に記載の方法。
【請求項１９】
非家畜愛玩動物被験体の健康を管理するための方法であって、該方法は、以下の工程：
ａ）  以下のｉまたはｉｉのうちの少なくとも１つに関する遺伝型データベースを得る工程：
ｉ．該動物被験体の種、
ｉｉ．該種の選択された群；
ｂ）  該被験体に関するデータを得る工程であって、該データは、該被験体に関する実験的試験データを含む、工程；
ｃ）  ａ）のデータベースと、ｂ）のデータとを、コンピューターにより相関させて、ａ）のデータベースと、ｂ）のデータとの間の関係性を決定する工程；および
ｄ）  ｃ）に基づいて、該被験体の管理のための治療的介入または治療的管理を決定する工程、
を包含する、方法。
【請求項２０】
前記ａ）ｉおよびａ）ｉｉのデータベースが得られる、請求項１６、１７または１９に記載の方法。
【請求項２１】
前記種および前記被験体がイヌであり、前記管理が、該イヌのクオリティオブライフおよび寿命を改善するためのものである、請求項１６、１７または１９に記載の方法。
【請求項２２】
前記種および前記被験体がネコであり、前記管理が、該ネコのクオリティオブライフおよび寿命を改善するためのものである、請求項１６、１７または１９に記載の方法。
【請求項２３】
前記種の選択された群のデータベースが、品種、年齢、性別、大きさ、体重、能力、または地理的位置のうちの少なくとも１つである、請求項１６、１７または１９に記載の方法。
【請求項２４】
前記治療的介入または治療的管理が、薬物、栄養補助食品、栄養補助剤、全体論的処置、運動または液体摂取のうちの少なくとも１つである、請求項１９に記載の方法。
【請求項２５】
前記診断的実験的試験データは、選択された被験体についての包括的な全身健康プロフィールおよび少なくとも１つの選択された診断プロフィールである、請求項１６、１７または１９に記載の方法。
【請求項２６】
前記コンピューターが、専門システム、相互関係プログラム、またはデータベースとデータとの関係を決定するためのネットワークのうちの少なくとも１つを使用する、請求項１６、１７または１９に記載の方法。
【請求項２７】
前記種または群の表現型データベースが、定期的に更新され、それによって、累積データを得る、請求項１６、１７または１９に記載の方法。
【請求項２８】
前記被験体のデータを、定期的に更新して、それによって、前記種または群の定期的なデータを得る、請求項１６、１７または１９に記載の方法。
【請求項２９】
インターネットを含むコミュニケーションネットワーク上での決定を報告する工程を包含する、請求項１６、１７または１９に記載の方法。
【請求項３０】
インターネットを含むコミュニケーションネットワーク上での決定を報告する工程、および該インターネットを通じた該報告に対する支払いを得る工程を包含する、請求項１６、１７または１９に記載の方法。
【請求項３１】
非家畜愛玩動物被験体の健康状態および動物福祉を管理する方法であって、該方法は、以下の工程：
ａ）  以下のｉまたはｉｉのうちの少なくとも１つに関する表現型データベースおよび遺伝型データベースを得る工程：
ｉ．  該動物被験体の種、
ｉｉ．  該種の選択された群；
ｂ）  該被験体に関するデータを得る工程であって、該データは、該被験体に関する実験的試験データを含む、工程；
ｃ）  ａ）のデータベースと、ｂ）のデータとを、コンピューターにより相関させて、ａ）のデータベースと、ｂ）のデータとの間の関係性を決定する工程；および
ｄ）  ｃ）に基づいて、該被験体の管理のためのレジメンを決定する工程、
を包含する、方法。
【請求項３２】
非家畜愛玩動物被験体の栄養摂取を管理するための方法であって、該方法は、以下の工程：
ａ）  以下のｉまたはｉｉのうちの少なくとも１つに関する表現型データベースおよび遺伝型データベースを得る工程：
ｉ．該動物被験体の種、
ｉｉ．該種の選択された群；
ｂ）  該被験体に関するデータを得る工程であって、該データは、該被験体に関する実験的試験データを含む、工程；
ｃ）  ａ）のデータベースと、ｂ）のデータとを、コンピューターにより相関させて、ａ）のデータベースと、ｂ）のデータとの間の関係性を決定する工程；および
ｄ）  ｃ）に基づいて、該被験体の管理のための栄養学的レジメンを決定する工程、
を包含する、方法。
【請求項３３】
前記栄養学的レジメンが、栄養素もしくはカロリーの組成、または、食物アレルギーおよび食物不耐性に少なくとも関連する、請求項３２に記載の方法。
【請求項３４】
非家畜愛玩動物被験体の健康を管理するための方法であって、該方法は、以下の工程：
ａ）  以下のｉまたはｉｉのうちの少なくとも１つに関する表現型データベースおよび遺伝型データベースを得る工程：
ｉ．該動物被験体の種、
ｉｉ．該種の選択された群；
ｂ）  該被験体に関するデータを得る工程であって、該データは、該被験体に関する実験的試験データを含む、工程；
ｃ）  ａ）のデータベースと、ｂ）のデータとを、コンピューターにより相関させて、ａ）のデータベースと、ｂ）のデータとの間の関係性を決定する工程；および
ｄ）  ｃ）に基づいて、該被験体の管理のための治療的介入または治療的管理レジメンを決定する工程、
を包含する、方法。
【請求項３５】
前記ａ）ｉおよびａ）ｉｉのデータベースが得られる、請求項３１、３２または３４に記載の方法。
【請求項３６】
前記種および前記被験体がイヌであり、前記管理が、該イヌのクオリティオブライフおよび寿命を改善するためのものである、請求項３１、３２または３４に記載の方法。
【請求項３７】
前記種および前記被験体がネコであり、前記管理が、該ネコのクオリティオブライフおよび寿命を改善するためのものである、請求項３１、３２または３４に記載の方法。
【請求項３８】
前記種の選択された群のデータベースが、品種、年齢、性別、大きさ、体重、能力、または地理的位置のうちの少なくとも１つである、請求項３１、３２または３４に記載の方法。
【請求項３９】
前記治療的介入または治療的管理が、薬物、栄養補助食品、栄養補助剤、全体論的処置、運動または液体摂取のうちの少なくとも１つである、請求項３４に記載の方法。
【請求項４０】
前記診断的実験的試験データは、選択された被験体についての包括的な全身健康プロフィールおよび少なくとも１つの選択された診断プロフィールである、請求項３１、３２または３４に記載の方法。
【請求項４１】
前記コンピューターが、専門システム、相互関係プログラム、またはデータベースとデータとの関係を決定するためのネットワークのうちの少なくとも１つを使用する、請求項３１、３２または３４に記載の方法。
【請求項４２】
前記種または群の表現型データベースが、定期的に更新され、それによって、累積データを得る、請求項３１、３２または３４に記載の方法。
【請求項４３】
前記被験体のデータを、定期的に更新して、それによって、前記種または群の累積データを得る、請求項３１、３２または３４に記載の方法。
【請求項４４】
インターネットを含むコミュニケーションネットワーク上での決定を報告する工程を包含する、請求項３１、３２または３４に記載の方法。
【請求項４５】
インターネットを含むコミュニケーションネットワーク上での決定を報告する工程、および該インターネットを通じた該報告に対する支払いを得る工程を包含する、請求項３１、３２または３４に記載の方法。
【請求項４６】
前記種または群の遺伝型データベースが、定期的に更新され、それによって、累積データを得る、請求項３１、３２または３４に記載の方法。
【請求項４７】
非ヒト動物の健康プロフィールを分析する方法であって、該方法は、以下の工程：
ａ）  該非ヒト動物被験体の種または該種の選択された群に関する表現型データベースおよび遺伝型データベースを得る工程；
ｂ）  該動物に関するデータを得る工程；
ｃ）  ａ）のデータベースと、ｂ）のデータとを、相関させて、ａ）のデータベースと、ｂ）のデータとの間の関係性を決定する工程；および
ｄ）  該相関させる工程に基づいて、該動物の健康プロフィールを決定する工程、
を包含する、方法。
【請求項４８】
前記被験体に関するデータが、体液または組織の分析から得られるデータである、請求項４７に記載の方法。
【請求項４９】
前記データが、代謝成分に関する、請求項４８に記載の方法。
【請求項５０】
前記代謝成分が、アミノ酸、炭水化物または脂質である、請求項４９に記載の方法。
【請求項５１】
インターネットを含むコミュニケーションネットワーク上での決定を報告する工程を包含する、請求項４７に記載の方法。
【請求項５２】
インターネットを含むコミュニケーションネットワーク上での決定を報告する工程、および該インターネットを通じた該報告に対する支払いを得る工程を包含する、請求項４７に記載の方法。
【請求項５３】
非ヒト動物の栄養学的レジメンを決定する方法であって、該方法は、以下の工程：
ａ）  該非ヒト動物被験体の種または該種の選択された群に関する表現型データベースおよび遺伝型データベースを得る工程；
ｂ）  該動物に関するデータを得る工程；
ｃ）  ａ）のデータベースと、ｂ）のデータとを、相関させて、ａ）のデータベースと、ｂ）のデータとの間の関係性を決定する工程；および
ｄ）  該相関させる工程に基づいて、該動物の健康プロフィールを決定する工程、
を包含する、方法。
【請求項５４】
前記被験体に関するデータが、体液または組織の分析から得られるデータである、請求項５３に記載の方法。
【請求項５５】
前記データが、代謝成分に関する、請求項５４に記載の方法。
【請求項５６】
前記代謝成分が、アミノ酸、炭水化物または脂質である、請求項５５に記載の方法。
【請求項５７】
非ヒト動物の栄養学的レジメンを決定する方法であって、該方法は、以下の工程：
ａ）  該非ヒト動物被験体の種または該種の選択された群に関する表現型データベース、遺伝型データベースおよび実験的データベースを得る工程；
ｂ）  該動物に関するデータを得る工程；
ｃ）  ａ）のデータベースと、ｂ）のデータとを、相関させて、ａ）のデータベースと、ｂ）のデータとの間の関係性を決定する工程；および
ｄ）  該相関させる工程に基づいて、該動物の栄養学的レジメンを決定する工程、
を包含する、方法。
【請求項５８】
前記実験的データベースが、代謝成分に関する、請求項５７に記載の方法。
【請求項５９】
前記代謝成分が、アミノ酸、炭水化物または脂質である、請求項５８に記載の方法。